(57)【要約】【課題】設置のスペースファクター性に優れ、また、壁を傷つけてしまうことや、外観性を損なうことがない薄型表示装置の転倒防止装置を実現すること。【解決手段】薄型の表示部と該表示部を支える脚部と該脚部の下端側を保持した基座部とを備えた薄型表示装置のための転倒防止装置において、薄型表示装置の下部側に、所定量上下動が可能でかつ脱去不能であるように、その先端が鉤状係止部となった係止部材を配設するとともに、係止部材に対して下向き方向の力を印加するバネ部材を設け、また、鉤状係止部は弾性変形可能とするとともに、この鉤状係止部には、先端が先細となった傾斜部と該傾斜部の上側に位置する係止段部とを設けて、鉤状係止部を、薄型表示装置が載置される載置台部材に穿設された貫通穴の裏側穴縁に係止可能なように、構成する。【選択図】図３
2007333960.tif 000002
【特許請求の範囲】
【請求項１】
薄型の表示部と、該表示部を支える脚部と、該脚部の下端側を保持した基座部とを備えた薄型表示装置のための転倒防止装置であって、
前記薄型表示装置の下部側に、その先端が鉤状係止部となった係止部材を設けて、該係止部材の鉤状係止部を、前記薄型表示装置が載置される載置台部材に穿設された貫通穴の裏側穴縁に、係止可能としたことを特徴とする薄型表示装置の転倒防止装置。
【請求項２】
請求項１に記載の薄型表示装置の転倒防止装置において、
前記係止部材は、前記鉤状係止部とその上に一体に連なる桿部とを有し、前記鉤状係止部は、前記桿部の長手方向とほぼ直交する方向に弾性変形可能であるとともに、前記鉤状係止部は、先端が先細となった傾斜部と該傾斜部の上側に位置する係止段部とをもつことを特徴とする薄型表示装置の転倒防止装置。
【請求項３】
請求項２に記載の薄型表示装置の転倒防止装置において、
前記係止部材の前記鉤状係止部は、その外形がほぼ截頭円錐形を呈するともに、縦割りの切り欠きが形成されていることを特徴とする薄型表示装置の転倒防止装置。
【請求項４】
請求項１乃至３の何れか１項に記載の薄型表示装置の転倒防止装置において、
前記係止部材は、前記薄型表示装置の下部側に所定量上下動可能であるように、かつ、前記薄型表示装置の下部側から脱去不能であるように配設され、
前記係止部材に対して下向き方向の力を印加するバネ部材が設けられて、該バネ部材により前記係止部材は下向き方向の偏倚習性を付与されたことを特徴とする薄型表示装置の転倒防止装置。
【請求項５】
請求項４に記載の薄型表示装置の転倒防止装置において、
前記係止部材の前記鉤状係止部の先端面に、前記薄型表示装置が載置される載置台部材の平面が当接した際には、前記薄型表示装置の自重により、前記バネ部材のバネ力に抗して前記係止部材が上方に変位して、前記鉤状係止部の先端面が前記基座部の裏面と面一の状態をとることを特徴とする薄型表示装置の転倒防止装置。
【請求項６】
請求項５に記載の薄型表示装置の転倒防止装置において、
前記鉤状係止部の先端面が前記基座部の裏面と面一の状態をとった際には、前記係止部材全体が前記薄型表示装置の内部に格納されることを特徴とする薄型表示装置の転倒防止装置。
【請求項７】
請求項５に記載の薄型表示装置の転倒防止装置において、
前記鉤状係止部の先端面が前記基座部の裏面と面一の状態をとった際には、前記係止部材の上部が前記基座部の上方に突出することを特徴とする薄型表示装置の転倒防止装置。
【請求項８】
薄型の表示部と、該表示部を支える脚部と、該脚部の下端側を保持した基座部とを備えた薄型表示装置のための転倒防止装置であって、
ユニット枠体に所定量上下動可能であるように、かつ、前記ユニット枠体からは脱去不能であるように配設された係止部材と、該係止部材に対して下向き方向の力を印加するバネ部材とを、前記ユニット枠体に組み込んでなるユニット化係止手段を設けて、該ユニット化係止手段を前記薄型表示装置に取り付け、
前記係止部材の先端に設けた鉤状係止部を、前記薄型表示装置が載置される載置台部材に穿設された貫通穴の裏側穴縁に、係止可能としたことを特徴とする薄型表示装置の転倒防止装置。
【発明の詳細な説明】
【技術分野】
【０００１】
本発明は、液晶ディスプレイやプラズマディスプレイなどの薄型のディスプレイを用いた、薄型テレビジョン装置や薄型モニタ装置などの薄型表示装置の転倒防止装置に関する。
【背景技術】
【０００２】
液晶ディスプレイやプラズマディスプレイなどの薄型のディスプレイを用いた薄型表示装置は、薄型の表示部と、該表示部を支える脚部と、該脚部の下端側を保持した基座部（平板状の載置ベース部）とで構成されることが多く、脚部と基座部とは別部材で構成されていたり、脚部と基座部とは一体物で構成されていたりする。
【０００３】
これらの薄型表示装置は、ＣＲＴ（ブラウン管）表示装置と較べると、その構造上、パネル面の前方側または背面側へ転倒しやすい。また、一般的に、薄型表示装置は、システムラックやテレビ台などに載置されることが多く、振動や衝撃によって薄型表示装置がパネル面前方側へ転倒すれば、パネルが破損するだけでなく、薄型表示装置が人に衝突することや、あるいは、破損したガラスの破片により、人が怪我をする危険性がある。
【０００４】
このような薄型表示装置における転倒防止に関しては、例えば、隅壁（部屋のコーナー部）に平面ディスプレイ（薄型表示装置）を固定的に取り付けるようにし、部屋の空間を有効利用できるようにした技術（特許文献１参照）が提案されている。また、薄型表示装置にフック部を設けるとともに、家屋側にもフック部を設けて、フック部同士を係合することで、転倒防止を図る策もある。
【０００５】
また、図８に示すように、薄型の表示部５１と、表示部５１を支える脚部５２と、脚部５２の下端側を保持した基座部５３とを、備えた薄型表示装置５０において、基座部５３から水平に出没回転自在な回転脚５４を設けて、載置台部材５５などに薄型表示装置５０を搭載した状態で回転脚５４を引き出すことによって、安定性を高めて転倒を防止するようにした技術（特許文献２参照）や、図９に示すように、薄型の表示部６１と、表示部６１を支える脚部６２と、脚部６２の下端側を保持した基座部６３とを、備えた薄型表示装置６０において、基座部６３から水平に引き出し自在な補助ベース板６４を設けて、載置台部材６５などに薄型表示装置６０を搭載した状態で補助ベース板６４を引き出すことによって、安定性を高めて転倒を防止するようにした技術（特許文献３参照）が提案されている。
【０００６】
また、表示装置などのＡＶ機器において、振動や衝撃を感知する衝撃感知手段と、該衝撃感知手段によりその動作を制御される転倒防止レバー（転倒防止デバイス）とを設け、衝撃感知手段が衝撃を感知すると、転倒防止レバーが機器内の格納位置から転倒防止のため位置に出現するようにした技術（特許文献４）も提案されている。
【特許文献１】特開平１１−０１８０２２号公報
【特許文献２】特開平１０−３３３５９４号公報
【特許文献３】特開２０００−０４７５９９号公報
【特許文献４】特開平１１−００９３７３号公報
【発明の開示】
【発明が解決しようとする課題】
【０００７】
しかしながら、特許文献１に開示された手法や、家屋側にフック部を設ける手法では、家屋内（壁面など）を傷つけてしまい、薄型表示装置を取り去った後の家屋内の美観を損なってしまうという問題がある。また、特許文献１に開示された手法では、薄型表示装置の設置場所を手軽に変えることができないという問題があり、家屋側にフック部を設ける手法では、フック部が外部に露出して目立つため、見映えが悪いという問題がある。
【０００８】
特許文献２、３に開示された手法では、テレビ台やシステムラックといった載置台部材の載置面に、回転脚や補助ベース板を引き出して接面させるためのスペースが必ず必要となり、このような条件を満たす載置台部材のみに適用できる技術である。したがって、上面のある程度広い載置台部材のみに適用が制約されるという問題があり、また、上面が広い載置台部材であっても、載置台部材上に載置したい他の物品のための配置スペース性を損なうという問題がある。
【０００９】
特許文献４に示された手法では、転倒防止のためのメカニズムが複雑で、部品点数や組み立て工数も多くいことから、コストアップに繋がるという問題があり、また、転倒防止メカニズムを収納するための機器内部のスペースの確保にも、相当の工夫を要するという問題がある。
【００１０】
本発明は上記の点に鑑みなされたもので、その目的とするところは、設置のスペースファクター性に優れ、また、壁を傷つけてしまうことや、外観性を損なうことがない薄型表示装置の転倒防止装置を実現することにある。また、本発明の目的とするところは、ユーザが薄型表示装置を設置する場所を任意に変更することが手軽に可能な、薄型表示装置の転倒防止装置を実現することにある。
【課題を解決するための手段】
【００１１】
上記した目的を達成するため、本願による、薄型の表示部と該表示部を支える脚部と該脚部の下端側を保持した基座部とを備えた薄型表示装置のための転倒防止装置の、１つの発明では、薄型表示装置の下部側に、所定量上下動が可能でかつ脱去不能であるように、その先端が鉤状係止部となった係止部材を配設するとともに、係止部材に対して下向き方向の力を印加するバネ部材を設け、また、鉤状係止部は弾性変形が可能であるようにするとともに、この鉤状係止部には、先端が先細となった傾斜部と該傾斜部の上側に位置する係止段部とを設けて、鉤状係止部を、薄型表示装置が載置される載置台部材に穿設された貫通穴の裏側穴縁に係止可能なように、構成する。
【発明の効果】
【００１２】
本発明によれば、テレビ台などの載置台部材の載置板（上板）に穿設してある配線通し用の貫通穴、あるいは、本発明を適用するために載置台部材の載置板（上板）に穿設した貫通穴に、係止部材の鉤状係止部を位置合わせした状態で、載置板上に基座部の裏面が密着するように薄型表示装置を載置板に載置することで、鉤状係止部の傾斜部が貫通穴に案内されて貫通孔に入り込むと同時に鉤状係止部が弾性変形して、鉤状係止部は貫通穴を容易に通過し、貫通穴を通過した後は鉤状係止部が弾性復帰することで、鉤状係止部は貫通穴から抜け出ることが不能となる。すなわち、係止部材の鉤状係止部は、例えば、すぼまって弾性変形して貫通穴を通過し、通過後は弾性復帰して元に拡がることで、貫通穴から抜け出ることが不能となる、いわゆるスナップイン嵌合（スナップイン係合）によって、ワンタッチ動作で載置台部材の載置板に取り付けることが可能となる。したがって、転倒防止のための取り付け作業がきわめて簡単・容易であると共に、薄型表示装置の下部側に設けた係止部材は、設置のためのスペースファクター性を全く損なうことがないので、上面が小さい載置台部材であっても転倒防止のための取り付けが可能となり、さらに、壁を傷つけてしまうことや、外観性を損なうこともない、転倒防止装置を実現できる。また、鉤状係止部を弾性変形させた状態で、薄型表示装置を上方に持ち上げることで、鉤状係止部が貫通穴から抜け出るので、ユーザが薄型表示装置を設置する場所を任意に変更することが手軽に可能となる。また、上下動可能な係止部材は、貫通穴に挿通させるためにバネ部材により下向き方向の偏倚習性を付与されているが、貫通穴のない載置台部材上に薄型表示装置を載置した際には、薄型表示装置の自重により、バネ部材のバネ力に抗して係止部材が上方に変位して、鉤状係止部の先端面が基座部の裏面と面一の状態をとることが可能であるので、貫通穴のない載置台部材上にも薄型表示装置を支障なく載置することができる。
【発明を実施するための最良の形態】
【００１３】
以下、本発明の実施の形態を、図面を用いて説明する。
【００１４】
＜第１実施形態＞
図１〜図５は、本発明の第１実施形態による薄型表示装置の転倒防止装置に係り、図１は、本第１実施形態を含み後述する第２、第３実施形態においても適用される薄型表示装置を示す斜視図である。
【００１５】
図１において、１は、液晶ディスプレイやプラズマディスプレイなどの薄型のディスプレイ用いた薄型テレビジョン装置や薄型モニタ装置などの薄型表示装置、２は、薄型表示装置１の薄型の表示部、３は、表示部２を支える薄型表示装置１の脚部、４は、脚部３の下端側を保持した薄型表示装置１の基座部（平板状の載置ベース部）である。また、５は、薄型表示装置１を載置したテレビ台やシステムラックなどの載置台部材であり、図１では示されていないが、載置台部材５の載置板である上板（天板）には、配線を通すための貫通穴が穿設されている（なお、配線を通すための貫通穴が穿設されていない場合には、ユーザが載置台部材５の上板に貫通穴を穿設したものであってもよい）。
【００１６】
本第１実施形態では、図１において破線で囲った薄型表示装置１のＡ部に、載置台部材５の上板の貫通穴と協働して、薄型表示装置１の転倒防止を図るためのメカニズムが設けられている。
【００１７】
図２の（ａ）は、薄型表示装置１を持ち上げた状態での、図１のＡ部の内部構成を示す一部切断した要部説明図である。図２の（ａ）において、６は、合成樹脂製の係止部材で、円柱状または円筒状の桿部７と、桿部７の下端側に一体に形成された鉤状係止部８と、桿部７の上端側に一体に形成されたストッパ部９とを有している。係止部材６は、脚部３の下部および基座部４に対して所定量上下動が可能であるように、薄型表示装置１の下部側に取り付けられており、係止部材６の桿部７が、薄型表示装置１の下部に形成した中空室１１と下端面を開口とした台座部穴１２とを仕切る仕切壁１３の貫通穴１３ａに、摺動可能に挿通されている。また、係止部材６のストッパ部９は、中空室１１内に位置していて、係止部材６は脱去不能になっている。
【００１８】
１０は、係止部材６の鉤状係止部８と仕切壁１３との間に介装された圧縮コイルバネよりなるバネ部材で、該バネ部材１０は、係止部材６に対して下向き方向の力を印加しており、これにより、係止部材６は、下向き方向の偏倚習性を常時付与された状態となっている。鉤状係止部８の先端面が上向き方向の力を受けていない図２の（ａ）に示す状態では、バネ部材１０のバネ力によって、係止部材６のストッパ部９は仕切壁１３に当接しているとともに、係止部材６の鉤状係止部８は基座部４の裏面から下方に突出している。
【００１９】
係止部材６の鉤状係止部８は、その外形がほぼ截頭円錐形を呈するものとなっていて、先端が先細となった傾斜部８ａと、傾斜部８ａの上側に位置する係止段部８ｂとを有している。また、鉤状係止部８には、縦割りの切り欠き８ｃが形成されており、この切り欠き８ｃと対応するように、桿部７の下部にも切り欠き７ａが形成されている。図２の（ｂ）は、図２の（ａ）の係止部材６を下から見た図であり、切り欠き８ｃおよび切り欠き７ａは下から見て十字状に形成されている。このような切り欠き８ｃおよび切り欠き７ａを形成することによって、鉤状係止部８は、桿部７の長手方向とほぼ直交する方向に弾性変形が可能となっている。
【００２０】
図３の（ａ）は、係止部材６の鉤状係止部８が載置台部材５の上板（載置板）に穿設された貫通穴に入り込む途上の状態を示し、図３の（ｂ）は、係止部材６の鉤状係止部８が載置台部材５の上板に穿設された貫通穴を通過した後の係合状態を示している。図３において、２１は、載置台部材５の載置板である上板（天板）、２２は、上板２１に穿設された円形の貫通穴である。この貫通穴２２の穴径は、鉤状係止部８の最小径よりも大きく、鉤状係止部８の最大径よりも小さなものとなっている。
【００２１】
薄型表示装置１を載置台部材５の上板（載置板）２１に取り付ける際には、上板２１の貫通穴２２に、係止部材６の鉤状係止部８の先端側を位置合わせした状態で、上板２１上に基座部４の裏面が密着するように薄型表示装置１を上板２１に載置する。これによって、係止部材６はバネ部材１０によって下方への偏倚習性を付与されているので、鉤状係止部８の傾斜部８ａが貫通穴２２に案内されて貫通孔２２に入り込むと同時に、鉤状係止部８がすぼまるように弾性変形して、鉤状係止部８全体が貫通穴２２を通過する（なお、この挿入動作の初期には、図３の（ａ）に示すように、係止部材６が一旦上方に変位してバネ部材１０が圧縮され、圧縮されたバネ部材１０のバネ力が鉤状係止部８を弾性変形させるに足る力に達すると、鉤状係止部８が弾性変形して係止部材６が下方に変位し、鉤状係止部８は貫通穴２２を通過する）。貫通穴２２を通過した後は、鉤状係止部８は弾性復帰して元の形状に拡がり、これによって、鉤状係止部８は貫通穴２２から抜け出ることが不能となる。すなわち、鉤状係止部８のいわゆるスナップイン嵌合（スナップイン係合）動作によって、ワンタッチで薄型表示装置１を上板２１に取り付けることが可能となり、薄型表示装置１の転倒を確実に防止することができる。
【００２２】
図３に示した例では、スナップイン嵌合（スナップイン係合）した状態では、鉤状係止部８の係止段部８ｂが、貫通穴２２周辺の上板２１の裏面（貫通穴２１の裏側穴縁）に当接しており、これによって、鉤状係止部８は完全なロック状態となって、薄型表示装置１を不動状態においている。このように、鉤状係止部８の係止段部８ｂが貫通穴２１の裏側穴縁に密着することが望ましく、このようにするには、図２の状態における係止段部８ｂと基座部４の裏面との間隔Ｌを、載置台部材５の上板（載置板）２１の板厚と等しくすればよい。
【００２３】
なお、スナップイン係合した際に、鉤状係止部８の係止段部８ｂが貫通穴２１の裏側穴縁に当接しない状態であっても、本発明は適用可能である。図４はこのような状態を示しており、ここでは、鉤状係止部８の係止段部８ｂが、上板２１’の裏面と若干離間した状態となっている。すなわち、図４に示した例では、上板２１’の板厚が、図３で示した上板２１板厚よりも若干だけ薄いものとなっている。このような図４に示したような場合であっても、薄型表示装置１に振動や衝撃が加わってた際には、薄型表示装置１が多少がたつくことがあっても、鉤状係止部８の係止段部８ｂが貫通穴２１の裏側穴縁に当接することで、鉤状係止部８が上板２１’の貫通穴２２’から抜け出ることはなく、よって、薄型表示装置１の転倒を確実に防止することができる。
【００２４】
なお、図３の（ｂ）や図４に示した薄型表示装置１の上板への取り付け状態から、薄型表示装置１を取り外す際には、鉤状係止部８を弾性変形させた状態で、薄型表示装置１を上方に持ち上げ、これによって、鉤状係止部８を貫通穴から抜け出させればよい。
【００２５】
図５は、薄型表示装置１を載置台部材５の貫通穴のない上板（載置板）に載置した場合を示している。図５に示すように、薄型表示装置１を貫通穴のない上板（載置板）２１”上に載置した場合には、薄型表示装置１の自重により、係止部材６はバネ部材１０のバネ力に抗して上方に変位して、鉤状係止部８の先端面は基座部４の裏面と面一の状態をとって、係止部材６は薄型表示装置１の内部に完全に収納された状態となる。このように、薄型表示装置１は、貫通穴のない上板（載置板）や床面にも、支障なく載置することができるので、転倒防止メカニズムのない従来の薄型表示装置と同等の設置も可能となっている。
【００２６】
＜第２実施形態＞
次に、本発明の第２実施形態に係る薄型表示装置の転倒防止装置を、図６を用いて説明する。本第２実施形態は、係止部材６の配置個所を、脚部３の下部および基座部４ではなく、脚部３から離れた基座部４の所定箇所にしたものである。
【００２７】
図６の（ａ）、（ｂ）は、本発明の第２実施形態に係る薄型表示装置の転倒防止装置の要部切断図であり、図６の（ａ）はスナップイン嵌合状態を示し、図６の（ｂ）は貫通穴のない上板（載置板）に薄型表示装置を載置した状態を示している。なお、図６において、先の第１実施形態と均等な構成要素には同一符号を付してある。
【００２８】
本第２実施形態では、係止部材６は、脚部３から離れた基座部４の所定箇所に、所定量上下動が可能でかつ脱去不能であるように配設されており、係止部材６の鉤状係止部８が上板２１の貫通穴２２を通過した図６の（ａ）のスナップイン嵌合状態では、係止部材６のストッパ部９は、基座部４の上面に設けた凹部３１内に収まっている。これに対して、薄型表示装置１が貫通穴のない上板（載置板）２１’に載置されている場合には、図６の（ｂ）に示すように、係止部材６のストッパ部９および桿部７の一部は、基座部４の上面から上方に突出している。
【００２９】
このように構成することで、本第２実施形態では、転倒防止のための取り付け状態（スナップイン嵌合状態）であるかどうかを、ストッパ部９の外部への出没状態によって、ユーザが一目で識別することが可能となる。
【００３０】
＜第３実施形態＞
次に、本発明の第３実施形態に係る薄型表示装置の転倒防止装置を、図７を用いて説明する。本第３実施形態は、係止部材およびバネ部材を、薄型表示装置とは別個のユニット枠体に組み込んで、ユニット化係止ブロックを構築しておき、このユニット化係止ブロックを、薄型表示装置の下部に固着したものである。
【００３１】
図７は、本発明の第３実施形態に係る薄型表示装置の転倒防止装置の要部切断図であり、同図は、薄型表示装置を持ち上げた状態での様子を示す図となっている。なお、図７において、先の第１、第２実施形態と均等な構成要素には同一符号を付してある。
【００３２】
図７において、４２はユニット枠体で、このユニット枠体４２に、係止部材６が、所定量上下動が可能でかつ脱去不能であるように取り付けられている。また、係止部材６の桿部７が、ユニット枠体４２に形成した中空室４３と下端面を開口とした穴４４とを仕切る仕切壁４５の貫通穴４５ａに、摺動可能に挿通されている。また、係止部材６のストッパ部９は、中空室４３内に位置している。また、バネ部材１０は、係止部材６の鉤状係止部８と仕切壁４５との間に介装されて、係止部材６に対して下向き方向の力を印加している。
【００３３】
上記のように、ユニット枠体４２に係止部材６とバネ部材１０とを組み込んだブロックを、ユニット化係止ブロック４１としてあり、このユニット化係止ブロック４１を、接着などによって、図７に示すように薄型表示装置１の下部に固着するようにしてある。
【００３４】
このような構成とすることで、本第３実施形態では、ユニット化係止ブロック４１を薄型表示装置１に後付けで固着することで、転倒防止機能を具備した薄型表示装置１を実現することができる。
【図面の簡単な説明】
【００３５】
【図１】本発明の各実施形態において適用される薄型表示装置を示す斜視図である。
【図２】本発明の第１実施形態に係る薄型表示装置の転倒防止装置の要部切断図および係止部材の鉤状係止部の裏面を示す図である。
【図３】本発明の第１実施形態に係る薄型表示装置の転倒防止装置における、係止部材の鉤状係止部の貫通穴への挿入途上の状態および係止部材の鉤状係止部がスナップイン係合された状態を示す要部切断図である。
【図４】本発明の第１実施形態に係る薄型表示装置の転倒防止装置における、係止部材の鉤状係止部がスナップイン係合された状態を示す要部切断図である。
【図５】本発明の第１実施形態に係る薄型表示装置の転倒防止装置における、貫通穴のない上板（載置板）に薄型表示装置を載置した状態での要部切断図である。
【図６】本発明の第２実施形態に係る薄型表示装置の転倒防止装置における、係止部材の鉤状係止部がスナップイン係合された状態および貫通穴のない上板（載置板）に薄型表示装置を載置した状態を示す要部切断図である。
【図７】本発明の第３実施形態に係る薄型表示装置の転倒防止装置の要部切断図である。
【図８】従来の薄型表示装置の転倒防止装置の１例を示す斜視図である。
【図９】従来の薄型表示装置の転倒防止装置の他の１例を示す斜視図である。
【符号の説明】
【００３６】
１  薄型表示装置
２  表示部
３  脚部
４  基座部
５  載置台部材
６  係止部材
７  桿部
７ａ  切り欠き
８  鉤状係止部
８ａ  傾斜部
８ｂ  係止段部
８ｃ  切り欠き
９  ストッパ部
１０  バネ部材
１１  中空室
１２  台座部穴
１３  仕切壁
１３ａ  貫通穴
２１、２１’、２１”  上板（載置板）
２２、２２’  貫通穴
３１  凹部
４１  ユニット化係止ブロック
４２  ユニット枠体
４３  中空室
４４  穴
４５  仕切壁
４５ａ  貫通穴
【図１】
2007333960.tif 000003
【図２】
2007333960.tif 000004
【図３】
2007333960.tif 000005
【図４】
2007333960.tif 000006
【図５】
2007333960.tif 000007
【図６】
2007333960.tif 000008
【図７】
2007333960.tif 000009
【図８】
2007333960.tif 000010
【図９】
2007333960.tif 000011